(57)【要約】【課題】移動体通信端末の内部状態情報を容易に収集できる外部モジュール、移動体通信端末、移動体通信システム、及び試験方法を提供することを目的とする。【解決手段】本発明にかかる外部モジュールは、携帯電話端末１０３の使用時に携帯電話端末１０３に装着するＳＩＭカード１０４であって、携帯電話端末１０３と通信を行って携帯電話端末１０３の内部状態に関する内部状態情報を収集する内部情報収集部３０３と、内部情報収集部３０３が収集する内部状態情報を格納するメモリ３０８とを備えたものである。さらに、本発明にかかる移動体通信端末は、ＳＩＭカード１０４が使用時に装着される携帯電話端末１０３であって、携帯電話端末１０３の内部状態情報を取得してＳＩＭカード１０４に対して出力するＵＩＭＦ２０２を備えたものである。【選択図】　図２
2004080206.tif 000002
【特許請求の範囲】
【請求項１】
移動体通信端末の使用時に当該移動体通信端末に装着する外部モジュールであって、
前記移動体通信端末と通信を行って移動体通信端末の内部状態に関する内部状態情報を収集する収集手段と、
該収集手段が収集する内部状態情報を格納する格納手段とを備えた外部モジュール。
【請求項２】
通信プロトコルシーケンスの実行を前記移動体通信端末に対して要求するプロトコル実行手段を有することを特徴とする請求項１記載の外部モジュール。
【請求項３】
前記プロトコル実行手段は、前記格納手段に格納された内部状態情報に基づいて、前記通信プロトコルシーケンスの実行を要求することを特徴とする請求項２記載の外部モジュール。
【請求項４】
前記通信プロトコルシーケンスは、移動体通信端末が基地局との間で無線により行う通信プロトコルシーケンスであることを特徴とする請求項２又は３記載の外部モジュール。
【請求項５】
前記格納手段に格納された内部状態情報を加工する格納情報加工手段を有することを特徴とする請求項１乃至４のいずれか一つに記載の外部モジュール。
【請求項６】
前記格納情報加工手段が加工した内部状態情報に基づいて、前記プロトコル実行手段が通信プロトコルシーケンスの実行を要求することを特徴とする請求項５記載の外部モジュール。
【請求項７】
ＳＩＭカード又はＵＳＩＭカード、若しくはこれらの上位規格のＩＣカードであることを特徴とする請求項１乃至６のいずれか一つに記載の外部モジュール。
【請求項８】
外部モジュールが使用時に装着される移動体通信端末であって、
当該移動体通信端末の内部状態に関する内部状態情報を取得する取得手段と、該取得手段により取得された内部状態情報を前記外部モジュールに対して出力する出力手段とを備えた移動体通信端末。
【請求項９】
移動体通信端末と、該移動体通信端末の使用時に当該移動体通信端末に装着する外部モジュールとを有する移動体通信システムであって、
前記移動体通信端末が、
当該移動体通信端末の内部状態に関する内部状態情報を取得する取得手段と、該取得手段により取得された内部状態情報を前記外部モジュールに対して出力する出力手段とを備え、
前記外部モジュールが、
前記移動体通信端末の出力手段により出力された内部状態情報を収集する収集手段と、
該収集手段により収集された内部状態情報を格納する格納手段とを備えた移動体通信システム。
【請求項１０】
外部モジュールを使用時に装着して移動体通信端末上で通信プロトコルを試験する試験方法であって、
前記外部モジュールが、通信プロトコルシーケンスの実行を前記移動体通信端末に対して要求するステップと、
前記移動体通信端末が、前記外部モジュールによる前記要求に応じて前記通信プロトコルシーケンスを実行するステップと、
前記移動体通信端末が、内部状態に関する内部状態情報を取得するステップと、
前記移動体通信端末が、取得した内部状態情報を前記外部モジュールに対して出力するステップと、
前記外部モジュールが、前記移動体通信端末により出力された内部状態情報を収集するステップと、
前記外部モジュールが、収集した内部状態情報を格納するステップとを備えた試験方法。
【請求項１１】
前記外部モジュールは、格納された内部状態情報に基づいて、前記通信プロトコルシーケンスの実行を要求することを特徴とする請求項１０記載の試験方法。
【請求項１２】
前記移動体通信端末は、基地局との間で無線により通信プロトコルシーケンスを実行することを特徴とする請求項１０又は１１記載の試験方法。
【請求項１３】
前記外部モジュールに格納された内部状態情報を加工するステップを有することを特徴とする請求項１０乃至１２のいずれか一つに記載の試験方法。
【請求項１４】
前記外部モジュールは、加工された内部状態情報に基づいて、通信プロトコルシーケンスの実行を要求することを特徴とする請求項１３記載の試験方法。
【請求項１５】
前記外部モジュールは、ＳＩＭカード又はＵＳＩＭカード、若しくはこれらの上位規格のＩＣカードであることを特徴とする請求項１０乃至１４のいずれか一つに記載の試験方法。
【発明の詳細な説明】
【０００１】
【発明の属する技術分野】
本発明は、外部モジュール、移動体通信端末、移動体通信システム、及び試験方法に関する。
【０００２】
【従来の技術】
従来、無線通信網に接続して情報通信を行う携帯電話端末では、外部記憶装置を接続して用いるものがある。携帯用記憶装置には、携帯電話端末を使用する利用者の識別情報や課金情報等が予め格納されている。この格納された情報を用いて携帯電話端末は無線通信網に接続される。
【０００３】
携帯用記憶装置を用いる携帯電話端末が使用する無線通信網として、欧州デジタル方式移動体通信の標準規格であるＧＳＭ（Ｇｌｏｂａｌ　Ｓｙｓｔｅｍｓ　ｆｏｒ　Ｍｏｂｉｌｅ　ｃｏｍｍｕｎｉｃａｔｉｏｎｓ）方式やＤＣＳ（Ｄｉｇｉｔａｌ　Ｃｏｍｍｕｎｉｃａｔｉｏｎｓ　Ｓｅｒｖｉｃｅｓ）１８００方式、北米デジタル方式携帯電話の標準規格であるＰＣＳ（Ｐｅｒｓｏｎａｌ　Ｃｏｍｍｕｎｉｃａｔｉｏｎｓ　Ｓｅｒｖｉｃｅｓ）１９００方式等がある。これらの方式は、ＧＳＭ方式が８００ＭＨｚ、ＤＣＳ１８００方式が１８００ＭＨｚ、ＰＣＳ１９００方式が１９００ＭＨｚの周波数帯域で使用される。
【０００４】
これらの種々の無線通信網では、ほぼ同一のプロトコルを用いて通信が行われる。そのため、携帯電話端末を使用する無線通信網に関する通信設定情報を携帯用記憶装置に記憶し、携帯電話端末は無線通信網に接続される。このとき用いられる携帯用記憶装置として、ＳＩＭ（Ｓｕｂｓｃｒｉｂｅｒ　Ｉｄｅｎｔｉｔｙ　Ｍｏｄｕｌｅ：加入者識別モジュール）カードやＵＳＩＭ（Ｕｎｉｖｅｒｓａｌ　Ｓｕｂｓｃｒｉｂｅｒ　Ｉｄｅｎｔｉｔｙ　Ｍｏｄｕｌｅ）カードのようなＩＣカード等がある。ＳＩＭカードやＵＳＩＭカード等のＩＣカードは、携帯電話端末に設けられるインタフェースに着脱可能となっている。また、このようなＳＩＭカードやＵＳＩＭカードが装着可能な携帯電話端末に対して、３ＧＰＰ規格準拠のＳＡＴ（ＳＩＭ　Ａｐｐｌｉｃａｔｉｏｎ　Ｔｏｏｌｋｉｔ）やＵＳＡＴ（ＵＳＩＭ　Ａｐｐｌｉｃａｔｉｏｎ　Ｔｏｏｌｋｉｔ）の機能を利用したサービスの開発が進められている。
【０００５】
一方、携帯電話端末は開発時に、通信に使用されるプロトコルが正常に動作を行うか試験される。この試験として、例えば、携帯電話端末を実験室等の室内で室内試験、実際の基地局を使用して携帯電話端末を室外で試験を行うフィールド試験がある。携帯電話端末のフィールド試験は、事前に室内試験を行い、室内試験で正常に動作を行う場合に行われる。
【０００６】
携帯電話端末の通信に使用される通信プロトコルのフィールド試験では、図７に示すように、携帯電話端末１１０３が、無線インタフェース１０２を介して、基地局１１０１と発信、着信、通話等の通信を行う。このとき、携帯電話端末１１０３にはＳＩＭカード１１０４が挿入されて基地局１１０１との通信が行われる。
【０００７】
そして、フィールド試験における携帯電話端末１１０３の内部動作等に関する内部情報の取得やプロトコル模擬試験は、試験機材であるパーソナルコンピュータ１１０５（以下、ＰＣ１１０５と略す）上のソフトウエアにて行われる。また、このＰＣ１１０５には、携帯電話端末１１０３の内部情報を取得する内部情報取得手段１１０５ａ、この内部情報に基づいてフィールド試験を再現してプロトコル模擬試験を行うプロトコル模擬試験手段１１０５ｂが備えられている。
【０００８】
フィールド試験は、試験者がＰＣ１１０５を用いて携帯電話端末１１０３を試験モードに設定すると、携帯電話端末１１０３を介して基地局１１０１に対して通信プロトコルの送信が行われる。このとき、携帯電話端末１１０３にはＳＩＭカード１１０４が装着され、携帯電話端末１１０３と基地局１１０１との通信が可能な状態となっている。
【０００９】
通信プロトコルの送信にともない、実際の通信を行う際の携帯電話端末１１０３と基地局１１０１との間の通信プロトコルシーケンスが発生する。この通信プロトコルシーケンスは、携帯電話端末１１０３を介してＰＣ１１０５に対して送信される。ＰＣ１１０５は、内部情報取得手段１１０５ａにより携帯電話端末１１０３の内部情報を取得して記憶装置に内部情報として通信プロトコルシーケンスを格納する。
【００１０】
ＰＣ１１０５が通信プロトコルシーケンスの格納を終了すると、フィールド試験における再現試験が行われる。再現試験は、前述のように実際の通信を行う際の携帯電話端末１１０３と基地局１１０１との間の通信プロトコルシーケンスを擬似的にＰＣ１１０５上で発生させる。
【００１１】
プロトコル再現試験は、ＰＣ１１０５のプロトコル模擬試験手段１１０５ｂにより行われ、実際の基地局１１０１と携帯電話端末１１０３との間の通信プロトコルを再現する。このようにＰＣ１１０５上でプロトコル再現試験により、試験者は、実際の通信プロトコルシーケンスを調査し、問題点や改良点等を研究する。そして、試験者が問題点や改良点等を見つけた場合には、実験室に携帯電話端末１１０３を持ち帰り、通信プロトコルの変更・改良等を行う。
【００１２】
図８を用いて従来の携帯電話端末１１０３の内部構成について説明する。従来の携帯電話端末１１０３は、無線部１２１０、ベースバンド信号処理部１２０９を介して、内部のＣＰＵ１２０１と無線インタフェース１１０２とが通信を行う。そして、ＣＰＵ１２０１上では、通信プロトコルスタック１２０８を介して論理バス１２０７とベースバンド信号処理部１２０９との間で通信が行われる。また、ＣＰＵ１２０１内部では、論理バス１２０７を介して通信プロトコルスタック１２０８と、ＴＥ（Ｔｅｒｍｉｎａｌ　Ｅｑｕｉｐｍｅｎｔ）１２０３、１２０５が通信を行う。また、ＴＥ１２０３、１２０５は、ＴＡＦ（Ｔｅｒｍｉｎａｌ　Ａｄａｐｔａｔｉｏｎ　Ｆｕｎｃｔｉｏｎ）１２０４、１２０６によりプロトコル変換を行われ、通信プロトコルスタック１２０８と通信を行う。
【００１３】
図８に示すように、論理バス１２０７を介して、携帯電話端末１１０３に装着されるＳＩＭカード１１０４と通信プロトコルスタック１２０８との間で通信が行われる。ＳＩＭカード１１０４は、携帯電話端末１１０３に装着されると、ＵＩＭＦ（Ｕｓｅｒ　Ｉｄｅｎｔｉｔｙ　Ｍｏｄｕｌｅ　Ｆｕｎｃｔｉｏｎ）１２０２に接続される。そして、ＳＩＭカード１１０４は、ＵＩＭＦ１２０２を介して論理バス１２０７と通信を行い、ＳＩＭ１１０４に格納されている加入者情報やユーザ情報等を通信プロトコルスタック１２０８や他のブロックとやりとりする。
【００１４】
また、論理バス１２０７は、携帯電話端末１１０３の外部インタフェース１２１１との間で通信を行うことが可能である。これにより、ＳＩＭカード１１０４は、外部インタフェース１２１１から加入者情報やユーザ情報等を受信して格納する。
【００１５】
フィールド試験を行う際、外部インタフェース１２１１を介して携帯電話端末１１０３は、ＰＣ１１０５からフィールド試験に関する指示を受け取る。これにより、フィールド試験の開始や停止、あるいは情報の取得等が携帯電話端末１１０３上で実行されて所望の試験が実施される。携帯電話端末１１０３の内部情報は、ＰＣ１１０５の内部情報取得手段１１０５ａにより取得され、ＰＣ１１０５に格納される。プロトコル再現試験の際には、ＰＣ１１０５に格納する携帯電話端末１１０３の内部情報に基づいて、ＰＣ１１０５上にプロトコル模擬試験手段１１０５ｂにより再現試験が実行される。
【００１６】
図９を用いて従来のＳＩＭカード１１０４の内部構成の一例について説明する。ＳＩＭカード１１０４は、ＣＰＵ１３０１とメモリ１３０８とを有する。ＣＰＵ１３０１のＳＩＭ機能実行部１３０５は、内部バス１３０６を介して外部インタフェース１３０７と通信を行い、メモリ１３０８に格納された加入者情報やユーザ情報等を携帯電話端末１１０３からの指示に基づいて携帯電話端末１１０３へ転送する。また、ＳＩＭ機能実行部１３０５は、携帯電話端末１１０３から受け取ったデータのメモリ１３０８に格納する。
【００１７】
しかしながら、従来のフィールド試験において、携帯電話端末１１０３の内部情報の取得やプロトコル模擬試験は専用の機材（例えば、パーソナルコンピュータ、試験ソフトウエア等）が必要である。そのため、試験の柔軟性、視認性に優れる反面、フィールド試験においては機動性、可搬性に低いという問題がある。また、携帯電話端末１１０３の内部（ソフトウエア、ハードウエア）に試験機能を持たせることも可能であるがメモリ１３０８等のリソースに制限があるため、ごく限定された簡易な試験機能しか実現することができない。
【００１８】
さらに、フィールド試験に用いる試験機材は事業者及び端末メーカがその開発やメンテナンス用に使用するものであり、一般ユーザには公開されない。そのため、ユーザが携帯電話端末１１０３を使用している際に発生した不具合については、不具合発生時のリアルタイムな内部情報を取得することは不可能である。
【００１９】
そして、事業者及び端末メーカは不具合解析を行う際にユーザからの使用状況のヒアリング等の乏しい情報や推測に頼らざるを得ず、その不具合の再現、原因究明に時間と労力が必要であった。そのため、携帯電話端末１１０３の不具合を効率良く究明することができず、不具合を迅速に解決することが困難である。また、携帯電話端末１１０３を有するユーザに対して携帯電話端末１１０３を迅速に修理・返却するサービスを提供することができない。
【００２０】
【発明が解決しようとする課題】
このように、従来の外部モジュール、移動体通信端末、移動体通信システム、及び試験方法では、移動体通信端末の内部状態情報を容易に収集することができないという問題点があった。
【００２１】
本発明は、このような問題点を解決するためになされたもので、移動体通信端末の内部状態情報を容易に収集できる外部モジュール、移動体通信端末、移動体通信システム、及び試験方法を提供することを目的とする。
【００２２】
【課題を解決するための手段】
本発明にかかる外部モジュールは、移動体通信端末（例えば、発明の実施の形態における携帯電話端末１０３）の使用時に当該移動体通信端末に装着する外部モジュールであって、前記移動体通信端末と通信を行って移動体通信端末の内部状態に関する内部状態情報を収集する収集手段（例えば、発明の実施の形態における内部情報収集部３０３）と、該収集手段が収集する内部状態情報を格納する格納手段（例えば、発明の実施の形態におけるメモリ３０８、３０８ａ）とを備えたものである。このような構成により、移動体通信端末の内部状態情報を容易に収集することができる。
【００２３】
さらに、本発明にかかる外部モジュールは、通信プロトコルシーケンスの実行を前記移動体通信端末に対して要求するプロトコル実行手段（例えば、発明の実施の形態におけるプロトコル実行部３０４）を有するものである。これにより、通信プロトコルシーケンスを効率良く実行することができる。
【００２４】
さらにまた、本発明にかかる外部モジュールは、前記プロトコル実行手段は、前記格納手段に格納された内部状態情報に基づいて、前記通信プロトコルシーケンスの実行を要求するものである。これにより、移動体通信端末の内部状態情報に基づいて通信プロトコルシーケンスを効率良く実行することができる。
【００２５】
ここで、本発明にかかる外部モジュールでは、前記通信プロトコルシーケンスは、移動体通信端末が基地局との間で無線により行う通信プロトコルシーケンスとすることができる。これにより、移動体通信端末と基地局との間の通信プロトコルシーケンスを効率良く実行することができる。
【００２６】
そして、本発明にかかる外部モジュールは、前記格納手段に格納された内部状態情報を加工する格納情報加工手段（例えば、発明の実施の形態における格納情報加工部３１０）を有するものである。これにより、内部状態情報を簡便に加工して通信プロトコルシーケンスを実行することができる。
【００２７】
また、本発明にかかる外部モジュールでは、前記格納情報加工手段が加工した内部状態情報に基づいて、前記プロトコル実行手段が通信プロトコルシーケンスの実行を要求するものである。これにより、加工された通信プロトコルシーケンスを実行することができる。
【００２８】
好適には、本発明にかかる外部モジュールは、ＳＩＭカード又はＵＳＩＭカード、若しくはこれらの上位規格のＩＣカードとすることができる。これにより、ＳＩＭカードやＵＳＩＭカードに新たな機能を加えることができる。
【００２９】
本発明にかかる移動体通信端末は、外部モジュール（例えば、発明の実施の形態におけるＳＩＭカード１０４）が使用時に装着される移動体通信端末であって、当該移動体通信端末の内部状態に関する内部状態情報を取得する取得手段（例えば、発明の実施の形態におけるＵＩＭＦ２０２）と、該取得手段により取得された内部状態情報を前記外部モジュールに対して出力する出力手段（例えば、発明の実施の形態におけるＵＩＭＦ２０２）とを備えたものである。このような構成により、移動体通信端末の内部状態情報を容易に収集することができる。
【００３０】
本発明にかかる移動体通信システムは、移動体通信端末（例えば、発明の実施の形態における携帯電話端末１０３）と、該移動体通信端末の使用時に当該移動体通信端末に装着する外部モジュール（例えば、発明の実施の形態におけるＳＩＭカード１０４）とを有する移動体通信システムであって、前記移動体通信端末が、当該移動体通信端末の内部状態に関する内部状態情報を取得する取得手段（例えば、発明の実施の形態におけるＵＩＭＦ２０２）と、該取得手段により取得された内部状態情報を前記外部モジュールに対して出力する出力手段（例えば、発明の実施の形態におけるＵＩＭＦ２０２）とを備え、前記外部モジュールが、前記移動体通信端末の出力手段により出力された内部状態情報を収集する収集手段（例えば、発明の実施の形態における内部情報収集部３０３）と、該収集手段により収集された内部状態情報を格納する格納手段（例えば、発明の実施の形態におけるメモリ３０８、３０８ａ）とを備えたものである。このような構成により、移動体通信端末の内部状態情報を容易に収集することができる。
【００３１】
本発明にかかる試験方法は、外部モジュール（例えば、発明の実施の形態におけるＳＩＭカード１０４）を使用時に装着して移動体通信端末（例えば、発明の実施の形態における携帯電話端末１０３）上で通信プロトコルを試験する試験方法であって、前記外部モジュールが、通信プロトコルシーケンスの実行を前記移動体通信端末に対して要求するステップと、前記移動体通信端末が、前記外部モジュールによる前記要求に応じて前記通信プロトコルシーケンスを実行するステップと、前記移動体通信端末が、内部状態に関する内部状態情報を取得するステップと、前記移動体通信端末が、取得した内部状態情報を前記外部モジュールに対して出力するステップと、前記外部モジュールが、前記移動体通信端末により出力された内部状態情報を収集するステップと、前記外部モジュールが、収集した内部状態情報を格納するステップとを備えたものである。このような方法により、移動体通信端末の内部状態情報を容易に収集することができる。
【００３２】
さらに、本発明にかかる試験方法は、前記外部モジュールは、格納された内部状態情報に基づいて、前記通信プロトコルシーケンスの実行を要求するものである。これにより、移動体通信端末の内部状態情報に基づいて通信プロトコルシーケンスを効率良く実行することができる。
【００３３】
ここで、本発明にかかる試験方法では、前記移動体通信端末は、基地局との間で無線により通信プロトコルシーケンスを実行することができる。これにより、移動体通信端末と基地局との間の通信プロトコルシーケンスを効率良く実行することができる。
【００３４】
そして、本発明にかかる試験方法は、前記外部モジュールに格納された内部状態情報を加工するステップを有するものである。これにより、通信プロトコルシーケンスを簡便に加工することができる。
【００３５】
また、本発明にかかる試験方法は、前記外部モジュールは、加工された内部状態情報に基づいて、通信プロトコルシーケンスの実行を要求するものである。これにより、内部状態情報を簡便に加工して通信プロトコルシーケンスを実行することができる。
【００３６】
好適には、本発明にかかる試験方法では、前記外部モジュールは、ＳＩＭカード又はＵＳＩＭカード、若しくはこれらの上位規格のＩＣカードとすることができる。これにより、ＳＩＭカードやＵＳＩＭカードに新たな機能を加えることができる。
【００３７】
【発明の実施の形態】
以下、本発明の実施の形態について図を参照して説明する。
【００３８】
本発明の実施の形態においては、移動体通信端末として携帯電話端末、外部モジュールとしてＳＩＭカードを用い、ＳＩＭカードを使用時に装着する携帯電話端末の通信プロトコルを試験するフィールド試験について説明する。また、本発明の実施の形態においては、外部モジュールとしてＳＩＭカードをもちいるが、ＵＳＩＭカードを用いても良い。
【００３９】
なお、移動体通信端末は、携帯電話端末だけでなく、ＳＩＭカードやＵＳＩＭカード等の外部モジュールを装着可能な移動体通信端末であれば良い。またなお、外部モジュールは、ＳＩＭカードやＵＳＩＭカード等のＩＣカードだけなく、ＣＰＵとメモリを有し、携帯端末装置に装着可能な外部モジュールであれば良い。
【００４０】
まず、本発明の実施の形態におけるフィールド試験、これを実施するための携帯電話端末及びＳＩＭカードの構成について説明する。図１は、フィールド試験の一構成例を示すブロック図である。図１に示すように、フィールド試験は、無線インタフェース１０２を介して、携帯電話端末１０３と基地局１０１との間で携帯電話端末１０３の発信、着信、通話等の通信を行って実施される。
【００４１】
基地局１０１は、従来の通信事業体が管理する基地局である。携帯電話端末１０３は、従来の携帯電話端末と同様の大きさ・形状を有するものであれば良い。また、ＳＩＭカード１０４は、従来のＳＩＭカードと同様の大きさ・形状を有するものであれば良い。
【００４２】
一例として、ＳＩＭカード１０４は、欧州デジタル携帯電話ＧＳＭ方式において標準搭載されているＧＳＭ１１．１１規格準拠Ｐｌｕｇ　ｉｎ　ＳＩＭカードがある。ＳＩＭカード１０４として、この欧州デジタル携帯電話ＧＳＭ方式に標準搭載され、加入者の電話番号や本人認識用として利用されているＳＩＭカードを用いることができる。なお、本発明の実施の形態における外部モジュールとして、ＳＩＭカードのみならず、次世代のＩＭＴ２０００方式のＷ−ＣＤＭＡ方式に搭載されるＵＳＩＭカードを用いることが可能である。
【００４３】
携帯電話端末１０３は、フィールド試験における試験対象であり、携帯電話端末１０３の通信プロトコルシーケンスが設計通りに実行するか否かが試験される。また、フィールド試験を行う際、携帯電話端末１０３にはＳＩＭカード１０４が装着される。ＳＩＭカード１０４は、一般的なＳＩＭカードと同様に、携帯電話端末１０３の筐体に外部から挿入したり、携帯電話端末１０３の充電池の取出し口から挿入したりする。
【００４４】
図２は、携帯電話端末１０３の内部構成の一例を示すブロック図である。図２に示すように、携帯電話端末１０３は、無線インタフェース１０２への物理レイヤでの信号処理を行う無線部２１０とベースバンド信号処理部２０９と、ＣＰＵ２０１で構成される。
【００４５】
ＣＰＵ２０１上に、基地局１０１との通信プロトコル制御を実行する通信プロトコルスタック２０８が実装される。さらに、ＣＰＵ２０１上では、アプリケーションやユーザインタフェースを実現して発信／着信のトリガを掛けるＴＥ（Ｔｅｒｍｉｎａｌ　Ｅｑｕｉｐｍｅｎｔ）１、２（２０３、２０５）と、通信プロトコルスタック２０８とＴＥ１、２（２０３、２０５）との間でプロトコル変換を行うＴＡＦ（Ｔｅｒｍｉｎａｌ　Ａｄａｐｔａｔｉｏｎ　Ｆｕｎｃｔｉｏｎ）１、２（２０４、２０６）が実装される。さらにまた、このＴＡＦ１、２（２０４、２０６）と通信プロトコルスタック２０８との間の通信を実現する論理バス２０７が実装され、これらの要素は、それぞれソフトウエアモジュールとして実装されて動作を行う。
【００４６】
図２に示すように、ＵＩＭＦ（Ｕｓｅｒ　Ｉｄｅｎｔｉｔｙ　Ｍｏｄｕｌｅ　Ｆｕｎｃｔｉｏｎ）２０２は論理バス２０７に接続されている。このＵＩＭＦ２０２により、ＳＩＭカード１０４とＣＰＵ２０１とが通信を行う。ＵＩＭＦ２０２は、ＳＩＭカード１０４からの命令に従って論理バス２０７上に流れるプロトコルメッセージや内部情報を取得し、ＳＩＭカード１０４へ転送する。また、ＵＩＭＦ２０２は、ＳＩＭカード１０４からの命令に従って、論理バス２０７を介して通信プロトコルスタック２０８へプロトコルメッセージを送信する機能を有する。
【００４７】
ＵＩＭＦ２０２が論理バス２０７を介して通信プロトコルスタック２０８と通信を行う際、通信プロトコルスタック２０８から見ると、このＵＩＭＦ２０２が送信するプロトコルメッセージはＴＡＦ１やＴＡＦ２から送信されるメッセージと全く等価である。そのため、ＳＩＭカード１０４から擬似的に発信／着信等の起動を掛ける場合、ＴＡＦ１やＴＡＦ２から送信されるメッセージを受信するのと同様に処理を行うことが可能である。
【００４８】
図３は、ＳＩＭカード１０４の内部構成の一例を示すブロック図である。ＳＩＭカード１０４は、ＣＰＵ３０１、メモリ３０８、外部インタフェース３０７、ＣＰＵ３０１とメモリ３０８や外部インタフェース３０７との通信を実現させる内部バス３０６から構成される。
【００４９】
ＣＰＵ３０１では、加入者情報・利用者情報やオペレータ情報等を携帯電話端末１０３に送信するような従来のＳＩＭ機能を実行するプログラムがＳＩＭ機能実行部３０５で実行される。さらに、当該ＳＩＭカード１０４のＣＰＵ３０１では、フィールド試験を実施するために実行する試験用プログラムが試験用プログラム実行部３０２で実行される。
【００５０】
試験用プログラム実行部３０２は、携帯電話端末１０３の内部状態に関する内部状態情報を収集する機能を有する内部情報収集部３０３、通信プロトコルシーケンスを再現して通信プロトコルを擬似的に実行するプロトコル実行部３０４とを備える。
【００５１】
ＳＩＭカード１０４のメモリ３０８は、従来のＳＩＭカード１０４と同様に加入者用者情報・利用者情報やオペレータ情報等の情報を格納する。さらに、本発明の実施の形態では、メモリ３０８は携帯電話端末１０３の内部状態情報や携帯電話端末１０３の内部の内部情報等を格納する。外部インタフェース３０７は、携帯電話端末１０３内のＵＩＭＦ２０２とＣＰＵ３０１との間の通信を実現させる機能を有する。
【００５２】
内部情報収集部３０３は、外部インタフェース３０７を介して携帯電話端末１０３内のＵＩＭＦ２０２へ内部状態情報のモニタ開始を通知する。それとともに、内部状態情報を収集する命令を送信して内部状態情報の収集を開始する。プロトコル実行部３０４は、外部インタフェース３０７を介して携帯電話端末１０３内のＵＩＭＦ２０２に対して通信プロトコルシーケンスの再現を命令し、通信プロトコルスタック２０８から基地局１０１に通信プロトコルの送信を命令する。
【００５３】
携帯電話端末１０３のＵＩＭＦ２０２は、ＳＩＭカード１０４の内部情報収集部３０３から内部状態情報の収集する命令を受信すると、論理バス２０７上に流れる内部状態情報を取得する。そして、ＵＩＭＦ２０２により取得された内部状態情報は、内部情報収集部３０３へ転送され、さらに内部情報収集部３０３からメモリ３０８へと転送されて格納される。また、内部情報収集部３０３は、その内部状態情報をメモリ３０８へ格納するとともに、携帯電話端末１０３等からの指示に応じて格納された内部状態情報を外部へ読み出す処理を実行することができる。
【００５４】
プロトコル実行部３０４は、フィールド試験において通信プロトコルシーケンスの再現を行う際、メモリ３０８に格納された内部状態情報であるプロトコルメッセージを読み出す。そして、プロトコル実行部３０４は、外部インタフェース３０７を介して携帯電話端末１０３内のＵＩＭＦ２０２へ通信プロトコルの再現試験の開始を通知する。それとともに、メモリ３０８に格納したプロトコルメッセージをＵＩＭＦ２０２に送信する。ＵＩＭＦ２０２が再現試験の開始の通知を受けると、通信プロトコルスタック２０８に対してプロトコルメッセージを転送する。これにより、過去の通信プロトコルシーケンスを擬似的に再現する。また、このプロトコル実行部３０４が行う通信プロトコルシーケンスの再現は、内部情報収集部３０３が行う内部状態情報の収集と並列動作として行うことも可能である。
【００５５】
次に、本発明の実施の形態におけるフィード試験を行う際の携帯電話端末１０３及びＳＩＭカード１０４の動作について説明する。また、本発明の実施の形態におけるフィールド試験では、携帯電話端末１０３の発信動作を試験する発信動作試験を行う。その後、発信動作試験において行った通信プロトコルシーケンスの再現試験が行われる。
【００５６】
図４を用いて、携帯電話端末１０３の発信動作試験について説明する。図４は、携帯電話端末１０３の発信動作試験における動作を示すシーケンスチャートである。
【００５７】
図４において、まずユーザ７０１（試験者）により携帯電話端末１０３が試験モードに設定される。これにより、試験モード要求７０２がユーザ（試験者）７０１から、ＴＥ１（２０３）に与えられる。これに応じて、ＴＥ１（２０３）に与えられた試験モード要求７０２は、ＴＡＦ１（２０４）でプロトコル変換を施された後、論理バス２０７を介して通信プロトコルスタック２０８へ伝達される。通信プロトコルスタック２０８は、この試験モード要求７０２を受けて、論理バス２０７上へ内部状態及びプロトコルメッセージ等を出力可能な状態へ移行する。
【００５８】
試験モード要求７０２は、通信プロトコルスタック２０８に送られるとともに、論理バス２０７を介してＵＩＭＦ２０２へと伝達される。これにより、ＵＩＭＦ２０２は、この試験モード要求７０２を検知すると、ＳＩＭカード１０４に対して試験モードセットアップ要求７０３を通知する。
【００５９】
ＳＩＭカード１０４は、試験モードセットアップ要求７０３を受信すると、試験用プログラム実行部３０２内の内部情報収集部３０３を起動させて携帯電話端末１０３からの情報待ち状態となる。
【００６０】
図４に示すように、ユーザ（試験者）７０１が発信要求７０４をＴＥ１（２０３）に与えると、ＴＥ１（２０３）は、ＴＡＦ１（２０４）に発信要求７０４をプロトコル変換させる。これにより、ＴＡＦ１（２０４９）は、プロトコル変換を施した後、論理バス２０７を介して通信プロトコルスタック２０８へ発信要求７０４を伝達する。通信プロトコルスタック２０８は、この発信要求７０４を受けると、ベースバンド信号処理部２０９及び無線部２１０を制御して、基地局１０１との間で通信プロトコルシーケンス７１１を実行する。
【００６１】
それとともに、ＵＩＭＦ２０２は、論理バス２０７上に流れる発信要求７０４に関するプロトコルメッセージを取得し、ＳＩＭカード１０４へ発信要求７０４に対する情報格納要求７０５を通知する。ＳＩＭカード１０４は情報格納要求７０５を受信すると、内部情報収集部３０３によって、ＳＩＭカード１０４内のメモリ３０８へ格納する。
【００６２】
通信プロトコルシーケンス７１１を実行する通信プロトコルスタック２０８は、通信プロトコルシーケンス７１１の過程において生じる内部の動作状態を示すパラメータを、内部状態情報７０６として論理バス２０７へ出力する。
【００６３】
ＵＩＭＦ２０２は、論理バス２０７を流れる内部状態情報７０６を取得し、ＳＩＭカード１０４へ内部状態情報７０６に対する情報格納要求７０７を通知する。ＳＩＭカード１０４は情報格納要求７０７を受信すると、内部情報収集部３０３によって、ＳＩＭカード１０４内のメモリ３０８へ格納する。
【００６４】
さらに、図４に示すように、通信プロトコルスタック２０８は、通信プロトコルシーケンス７１１の過程において発生するプロトコルメッセージ７０８を、論理バス２０７へ出力する。このプロトコルメッセージ７０８としては、例えば、ユーザ（試験者）７０１からの発信要求７０４に対する応答を示す発信応答メッセージ等がある。
【００６５】
ＵＩＭＦ２０２は、論理バス２０７を介してプロトコルメッセージ７０８を取得し、このプロトコルメッセージ７０８に対する情報格納要求７１０をＳＩＭカード１０４へ通知する。ＳＩＭカード１０４は情報格納要求７１０を受信すると、内部情報収集部３０３によって、ＳＩＭカード１０４内のメモリ３０８へ格納する。
【００６６】
また、プロトコルメッセージ７０８は、ＴＡＦ１（２０４）、ＴＥ１（２０３）の順に伝達される。そして、例えば、ユーザ（試験者）７０１が与えた発信要求７０４に対する発信応答７０９としてユーザ（試験者）７０１に伝えられる。このときの発信応答７０９は、携帯電話端末１０３の表示部等に表示され、ユーザ（試験者）７０１により認識される。
【００６７】
このように、ユーザ（試験者）７０１が発信要求７０４を与えると、ＳＩＭカード１０４のメモリ３０８に、発信要求７０４、内部状態情報７０６、さらには通信プロトコルシーケンス７１１の過程で発生するプロトコルメッセージ７０８が格納される。そして、この格納された情報の認識をユーザ（試験者）７０１は行う。
【００６８】
発信応答７０９を認識したユーザ（試験者）７０１は、ＳＩＭカード１０４に格納された内部状態情報を読み出すための内部情報読み出し要求７１２をＴＥ１（２０３）に与える。これにより、ＴＥ１（２０３）は、内部情報読出し要求７１２をＴＡＦ１（２０４）に送る。ＴＡＦ１（２０４）でプロトコル変換を施された内部情報読出し要求７１２は、論理バス２０７を介して、ＵＩＭＦ２０２へ伝達される。これにともない、ＵＩＭＦ２０２は、情報読み出し要求７１３をＳＩＭカード１０４へ通知する。
【００６９】
ＳＩＭカード１０４は、メモリ３０８へ格納された情報データを読み出し、情報読み出し応答７１４としてＵＩＭＦ２０２へ通知する。ＵＩＭＦ２０２は、論理バス２０７、ＴＡＦ１（２０４）、ＴＥ１（２０３）の経路で、ユーザ（試験者）７０１へ内部情報読み出し応答７１５を通知する。
【００７０】
なお、図４に示す発信動作試験においては、内部状態情報、プロトコルメッセージが一つづつ送受信される場合について説明したが、複数の情報やメッセージを同時に送受信しても良い。
【００７１】
図５を用いて、発信動作試験の際に収集した内部状態情報を基に行う通信プロトコルシーケンスの再現試験について説明する。図５は、携帯電話端末１０３の再現試験における動作を示すシーケンスチャートである。
【００７２】
図５において、まずユーザ（試験者）７０１により携帯電話端末１０３が再現試験の試験モードに設定される。これにより、プロトコル再現試験の試験モード要求８０１がユーザ（試験者）７０１から、ＴＥ１（２０３）に与えられる。これに応じて、ＴＥ１（２０３）に与えられた試験モード要求８０１は、ＴＡＦ１（２０４）でプロトコル変換を施された後、論理バス２０７を介して通信プロトコルスタック２０８へ伝達される。通信プロトコルスタック２０８は、この試験モード要求８０１を受けて、論理バス２０７上へ内部状態及びプロトコルメッセージなどを出力可能な状態へ移行する。
【００７３】
試験モード要求８０１は、通信プロトコルスタック２０８に送られるとともに、論理バス２０７を介してＵＩＭＦ２０２へと伝達される。これにより、ＵＩＭＦ２０２は、この試験モード要求８０１を検知すると、ＳＩＭカード１０４に対して当該プロトコル再現試験に関する試験モードセットアップ要求８０２を通知する。
【００７４】
ＳＩＭカード１０４は、この試験モードセットアップ要求８０２を受信すると試験用プログラム実行部３０２内の内部情報収集部３０３を起動させて携帯電話端末１０３からの情報待ち状態となる。
【００７５】
そして、図５に示すように、試験用プログラム実行部３０２内のプロトコル実行部３０４が起動され、内部情報収集部３０３が情報待ち状態から起動状態へと移行する。プロトコル実行部３０４は、前回の発信動作試験の結果としてメモリ３０８に格納した発信要求、内部状態情報、プロトコルメッセージ等の内部状態情報を読み出し、模擬発信要求８０３を生成する。プロトコル実行部３０４は、この模擬発信要求８０３をＵＩＭＦ２０２へと自動で通知する。
【００７６】
ＵＩＭＦ２０２は、模擬発信要求８０３を受けると、通信プロトコルスタック２０８へ発信要求８０４を通知する。通信プロトコルスタック２０８は、この模擬発信要求８０３を受けると、ベースバンド信号処理部２０９及び無線部２１０を制御して、基地局１０１との間で通信プロトコルシーケンス８１１を実行する。
【００７７】
それとともに、ＵＩＭＦ２０２は、論理バス２０７上に流れる発信要求８０４に関するプロトコルメッセージを取得し、ＳＩＭカード１０４へ発信要求８０４に対する情報格納要求８０５を通知する。ＳＩＭカード１０４は情報格納要求８０５を受信すると、内部情報収集部３０３によって、ＳＩＭカード１０４内のメモリ３０８へ格納する。
【００７８】
通信プロトコルシーケンス８１１を実行する通信プロトコルスタック２０８は、通信プロトコルシーケンス８１１の過程において生じる内部の動作状態を示すパラメータを、内部状態情報８０６として論理バス２０７へ出力する。
【００７９】
ＵＩＭＦ２０２は、論理バス２０７を流れる内部状態情報８０６を取得し、ＳＩＭカード１０４へ内部状態情報８０６に対する情報格納要求８０７を通知する。ＳＩＭカード１０４は情報格納要求８０７を受信すると、内部情報収集部３０３によって、ＳＩＭカード１０４内のメモリ３０８へ格納する。
【００８０】
さらに、図５に示すように、通信プロトコルスタック２０８は、通信プロトコルシーケンス８１１の過程において発生するプロトコルメッセージ８０８を、論理バス２０７へ出力する。このプロトコルメッセージ８０８としては、例えば、プロトコル実行部３０４からの模擬発信要求８０３に対する応答を示す発信応答メッセージ等がある。
【００８１】
ＵＩＭＦ２０２は、論理バス２０７を介してプロトコルメッセージ８０８を取得し、このプロトコルメッセージ８０８に対する情報格納要求８０９をＳＩＭカード１０４へ通知する。ＳＩＭカード１０４は情報格納要求８０９を受信すると、内部情報収集部３０３によって、ＳＩＭカード１０４内のメモリ３０８へ格納する。
【００８２】
それとともに、ＵＩＭＦ２０２は、受信したプロトコルメッセージ８０８を模擬プロトコルメッセージ８１０として、ＳＩＭカード１０４へ通知する。ＳＩＭカード１０４は、模擬プロトコルメッセージ８１０のメッセージ内容からプロトコル再現試験の終了判定を行う。プロトコル再現試験の終了条件を満たせば、ＳＩＭカード１０４内のプロトコル実行部３０４は、模擬シーケンス終了通知８１２をＵＩＭＦ２０２へ通知する。ＵＩＭＦ２０２は、論理バス２０７、ＴＡＦ１（２０４）、ＴＥ１（２０３）の経路で、ユーザ（試験者）７０１に対してプロトコル再現試験終了通知８１３を通知する。
【００８３】
最後に、本発明の実施の形態におけるＳＩＭカードの他の一例について説明する。図６は、ＳＩＭカード１０４ａの内部構成の一例を示すブロック図である。本発明の実施の形態におけるＳＩＭカード１０４ａは、基本的な構成要素として、ＳＩＭ機能実行部３０５、試験用プログラム実行部３０２ａを備える。そして、試験用プログラム実行部３０２ａは、内部情報収集部３０３とプロトコル実行部３０４とを備えている。さらに、図６に示すように、他の一例のＳＩＭカード１０４ａでは、試験用プログラム実行部３０２ａは格納情報加工部３１０を備えている。
【００８４】
格納情報加工部３１０は、メモリ３０８ａに格納した情報を加工する機能を有する。図６に示すように、発信動作試験を行うと、メモリ３０８ａ内には、プロトコル実行部３０４が模擬プロトコルシーケンスを実行する際に必要なパラメータやプロトコルメッセージ等のプロトコル再現情報３０９が予め保存してある。
【００８５】
例えば、発信動作試験時に格納された内部状態情報７０６やプロトコルメッセージ７０８等がメモリ３０８ａ内にプロトコル再現情報３０９として格納された場合、プロトコル実行部３０４が通信プロトコルシーケンス７１１を擬似的に実行してプロトコル再現試験を行う際にプロトコル再現情報３０９を加工することができる。これにより、例えば、プロトコル実行部３０４ａが通信プロトコルシーケンスを擬似的に実行する際に必要なパラメータ等を変更可能となり、プロトコル再現試験のその場で異なるプロトコル再現試験を実行することができる。
【００８６】
このように格納情報加工部３１０により加工された情報は、メモリ３０８ａにプロトコル再現情報３０９として格納される。このとき、メモリ３０８ａにプロトコル再現情報３０９を上書きで保存しても良いし、元のプロトコル再現情報３０９とは別個に保存しても良い。そして、プロトコル実行部３０４は、図４及び図５と同様の手順により、メモリ３０８ａ内に格納されているプロトコル再現情報３０９を読み出し、通信プロトコルシーケンスを擬似的に実行する。
【００８７】
元のプロトコル再現情報３０９と別個に保存する場合には、元のプロトコル再現試験を行うとともに異なるプロトコル再現試験を行うことができる。さらに、これらの異なるプロトコル再現試験を比較し、各プロトコル再現試験を比較調査することができる。例えば、発信動作試験を行った際に不具合が発生する場合に、プロトコル再現情報３０９の所定のパラメータを変更し、異なる基地局に関してプロトコル再現試験を行う。これにより、発信動作試験の不具合が基地局によるものか携帯電話端末によるものかを調査することができる。さらに、パラメータをさらに変更して周囲の全ての基地局に対してプロトコル再現試験を行い、試験場所の電波障害によるものかを比較調査することができる。
【００８８】
なお、ＳＩＭカード１０４ａの内部情報収集部３０３、プロトコル実行部３０４、ＳＩＭ機能実行部３０５、外部インタフェース３０７等は、前述のＳＩＭカード１０４と同様の動作を行う。そのため、ここでは各動作について説明するのを省略している。
【００８９】
このように、ＳＩＭカード１０４ａでは、通信プロトコルシーケンスを模擬するために必要な任意のプロトコル再現情報３０９を、プロトコル再現試験を行う際に予めＳＩＭカード１０４ａ内に格納できる。そのため、携帯電話端末１０３の開発途上等の段階において任意のパターンで通信プロトコルシーケンスの試験が可能となる。
【００９０】
特に、プロトコルの模擬再現試験は、ＴＥ、ＴＡＦ等の上位ソフトの動きを模擬するものである。そのため、上位ソフトの完成以前に、無線インタフェース側（通信プロトコルスタック以下）の単独で試験を容易に行うことができ、さらには上位ソフトの結合後も同様に効率良く試験を実施することができる。
【００９１】
以上のように、本発明の実施の形態におけるＳＩＭカード１０４は、携帯電話端末１０３とＳＩＭカード１０４という通常の使用形態において、携帯電話端末１０３の内部状態情報の収集と保存ができる。そのため、エンドユーザの実使用時に問題が発生した場合でも、問題発生時の内部状態情報をＳＩＭカード１０４のメモリ３０８に格納して保存しておくことができる。これにより、事業者、端末メーカはＳＩＭカード１０４の格納情報を読み出し、不具合解析を効率良く行うことが可能である。
【００９２】
さらに、ＳＩＭカード１０４が携帯電話端末１０３の内部状態情報の収集と保存ができるため、事業者、端末メーカでのフィールド試験において、内部状態情報を取得するための機材（パーソナルコンピュータ、試験ソフトウエア等）を使用することなく、フィールド試験を行うことができる。これにより、本発明の実施の形態におけるＳＩＭカード１０４を用いたフィールド試験は可搬性、機動性に優れ、最小の機材である携帯電話端末１０３上で簡易なフィールド試験を実現することができる。
【００９３】
さらにまた、本発明の実施の形態におけるＳＩＭカード１０４を用いる場合、ＳＩＭカード１０４が取得・格納した情報に基づいて、通信プロトコルを擬似的に再現する再現試験が可能となる。そのため、フィールド実験時に室外で不具合が発生した状況を実験室レベルで容易に再現することができ、実験室レベルで効率良く改善することである。
【００９４】
また、本発明の実施の形態におけるＳＩＭカード１０４では、内部状態情報がＳＩＭカード１０４に格納されるとともに、従来であれば再現試験のための機材（パーソナルコンピュータ、試験ソフトウエア等）に備えられる模擬再現試験手段がＳＩＭカード１０４に格納されている。そのため、この内部状態情報等の情報が格納されたＳＩＭカード１０４を他の端末に挿入して再現試験を行えば、端末固有の不具合であるか否かを容易に特定することができる。
【００９５】
そして、本発明の実施の形態におけるＳＩＭカード１０４では、携帯電話端末１０３の内部状態情報をＳＩＭカード１０４に格納するため、ユーザが携帯電話端末１０３を使用している際に発生した不具合について、不具合発生時のリアルタイムな内部状態情報を取得することが可能となる。
【００９６】
さらに、ＳＩＭカード１０４に格納された内部状態情報に基づいてプロトコル実行部により不具合発生時の状況を確実に再現し、その不具合の原因究明を迅速に行うことができる。これにより、携帯電話端末１０３の不具合を効率良く究明して不具合を迅速に解決することができ、携帯電話端末１０３を有するユーザに対して携帯電話端末１１０３を迅速に修理・返却することができる。
【００９７】
なお、本発明の実施の形態におけるＳＩＭカードでは、プロトコル実行部によりプロトコルを擬似的に再現するプロトコル再現試験が実行されるが、プロトコル再現試験に限らず、種々のプロトコルを実行することができる。例えば、ＴＣＰ、ＩＰ、ＨＴＴＰ、ＦＴＰ、ＳＭＴＰ、ＰＰＰ、ＰＰＰｏＥ等のような種々のプロトコルを実行可能である。また、それにともない、種々の情報が格納され、プロトコルの実行が行われる。
【００９８】
さらに、プロトコル実行部が種々のプロトコルを実行することにより、様々な付加的価値を有するサービスの提供を実現させることができる。例えば、ＳＡＴやＵＳＡＴの機能を利用してプロトコル実行部がＨＴＴＰを実行する場合には、ブラウザを介してインターネットのようなネットワークに接続することが可能となる。
【００９９】
このように種々のプロトコルを実行する場合、携帯電話端末に関わりなく、ＳＩＭカードやＵＳＩＭカード等のＩＣカード毎に通信を行うことができる。そのため、ユーザに対してＩＣカード毎にネットワークサービス等のサービスを提供することができ、ユーザ側は自分のＩＣカード毎にサービスを利用することができる。
【０１００】
さらになお、本発明の実施の形態におけるＳＩＭカードにより、プロトコルだけでなく、従来では携帯電話端末で行うアプリケーションを実行しても良い。これにより、携帯電話端末に関わりなく、ユーザに対してＳＩＭカードやＵＳＩＭカード等のＩＣカード毎にアプリケーション等のサービスを提供することができ、ユーザは自分のＩＣカード毎にゲーム等のアプリケーションのサービスを利用することができる。
【０１０１】
またなお、携帯電話端末に限らず、一般の電気機器をネットワークにより接続し、各電気機器固有のＳＩＭカードを設置してもよい。これにより、前述のように、電気機器を繋ぐ通信ネットワークプロトコルの試験を容易に行ったり、電気機器の不具合や通信上の問題点等を効率良く発見して修復したりすることができる。
【０１０２】
【発明の効果】
本発明によれば、移動体通信端末の内部状態情報を容易に収集できる外部モジュール、移動体通信端末、移動体通信システム、及び試験方法を提供することができる。
【図面の簡単な説明】
【図１】本発明の実施の形態におけるフィールド試験の一例を示すブロック図である。
【図２】本発明の実施の形態における携帯電話端末の内部構成の一例を示すブロック図である。
【図３】本発明の実施の形態におけるＳＩＭカードの内部構成の一例を示すブロック図である。
【図４】本発明の実施の形態における通信試験での動作を示すシーケンスチャートである。
【図５】本発明の実施の形態における再現試験での動作を示すシーケンスチャートである。
【図６】本発明の実施の形態におけるＳＩＭカードの内部構成の他の一例を示す概略模式図である。
【図７】従来例におけるフィールド試験を示すブロック図である。
【図８】従来例における携帯電話端末を示すブロック図である。
【図９】従来例におけるＳＩＭカードを示すブロック図である。
【符号の説明】
１０１　基地局、　１０２　無線インタフェース、　１０３　携帯電話端末、　１０４，１０４ａ　ＳＩＭカード、　１１０１　基地局、　１１０２　無線インタフェース、　１１０３　携帯電話端末、　１１０４　ＳＩＭカード
【図１】
2004080206.tif 000003
【図２】
2004080206.tif 000004
【図３】
2004080206.tif 000005
【図４】
2004080206.tif 000006
【図５】
2004080206.tif 000007
【図６】
2004080206.tif 000008
【図７】
2004080206.tif 000009
【図８】
2004080206.tif 000010
【図９】
2004080206.tif 000011